(57)【要約】【課題】ビームの開きを調整可能とする。【解決手段】照明器具は、円柱状に形成された取付部材３０と、取付部材３０の周面に配置された複数個の発光ダイオード１１と、放物面で椀状に形成され中心軸が取付部材３０の中心軸に一致し焦点Ｂが取付部材３０の中心軸方向の端部（上端部）に重なる反射面２１を備えた反射体２０とを有する。発光ダイオード１１は、取付部材３０における取付位置により、上部光源１１ａと、中央光源１１ｂと、下部光源１１ｃとの３つのグループに分けられる。グループごとに発光ダイオード１１は直列または並列に接続される。発光ダイオード１１の各直列回路（並列回路）は、切替装置を介して点灯装置に接続され、切替装置により点灯装置に接続する直列回路が切り替えられる。点灯する発光ダイオード１１を切り替えることにより、発光位置と反射面との相対位置を変える。【選択図】図１
2011070959.tif 000002
【特許請求の範囲】
【請求項１】
取付部材と、取付部材に取り付けられた光源であって取付部材を通る直線に沿う方向の取付位置が互いに異なる複数個の発光ダイオードと、開口を形成するように前記直線の周りに発光ダイオードを囲む反射面を備え反射面で反射した発光ダイオードからの光を反射面の開口から放射する反射体とを有し、反射面は、開口に沿う各断面が開口から離れるに従って小さくなるように、且つ、開口に交差する断面が曲線になるように形成され、複数個の発光ダイオードから点灯される発光ダイオードが選択されることを特徴とする照明器具。
【請求項２】
前記取付部材における前記反射面の開口側に、前記発光ダイオードとは別の発光ダイオードが取付けられていることを特徴とする請求項１記載の照明器具。
【発明の詳細な説明】
【技術分野】
【０００１】
本発明は、ダウンライトや投光器のように、反射面で反射した光源からの光を放射することで一定の領域や物を照明する照明器具に関するものである。
【背景技術】
【０００２】
この種の照明器具は、ビームの開きの大きさにより狭角形、中角形、広角形に区分され、用途や使用環境に応じて使用される。
【０００３】
ビームの開きは、反射面の形状が異なる複数種類の反射体を予め用意し、使用する反射体を複数種類の反射体から選択することで変えることができる。
【０００４】
また、図４に示した照明器具のように、反射体２０と、光源１１が取り付けられる取付部材３０との一方を移動自在とし、反射体２０と光源１１との相対位置を変えることで光線Ｌに示すようにビームの開きを変えることが考えられる。
【０００５】
或いは、図５に示した照明器具のように、光源１１と反射面２１との間に挿入されるレンズ１２を備えたレンズ体１３を、光源１１が取り付けられた取付部材３０に移動自在に取り付け、レンズ体１３を移動させることで反射面２１への光の入射角を変えてビームの開きを変えることが考えられる（例えば、特許文献１参照）。
【先行技術文献】
【特許文献】
【０００６】
【特許文献１】特開２００４−２９６２４９号公報
【発明の概要】
【発明が解決しようとする課題】
【０００７】
しかしながら、反射体の種類を選択する技術を使用した場合には、反射面の形状が異なる複数種類の反射体が必要であるという問題がある。
【０００８】
また、取付部材３０または反射体２０（図４参照）を移動自在とした技術を使用した場合では、取付部材３０または反射体２０を移動自在とする可動機構が必要であるという問題がある。
【０００９】
さらにまた、レンズ１２（図５参照）を移動させる技術を使用した場合では、レンズ１２を移動自在とする可動機構が必要であるという問題がある。
【００１０】
本発明は上記事由に鑑みて為されたものであり、その目的は、１種類の反射体で可動機構を設けることなくビームの開きを調整可能とした照明器具を提供することにある。
【課題を解決するための手段】
【００１１】
本発明は、取付部材と、取付部材に取り付けられた光源であって取付部材を通る直線に沿う方向の取付位置が互いに異なる複数個の発光ダイオードと、開口を形成するように前記直線の周りに発光ダイオードを囲む反射面を備え反射面で反射した発光ダイオードからの光を反射面の開口から放射する反射体とを有し、反射面は、開口に沿う各断面が開口から離れるに従って小さくなるように、且つ、開口に交差する断面が曲線になるように形成され、複数個の発光ダイオードから点灯される発光ダイオードが選択されることを特徴とする。
【００１２】
取付部材における反射面の開口側に、前記発光ダイオードとは別の発光ダイオードが取付けられていることが望ましい。
【発明の効果】
【００１３】
本発明の構成によれば、複数個の発光ダイオードから点灯される発光ダイオードが選択されるから、選択する発光ダイオードを変えることにより反射面に対して発光位置を変えることができ、その結果、１種類の反射体で可動機構を設けることなくビームの開きを調整することができるという利点がある。
【００１４】
また、取付部材の反射面の開口側に、発光ダイオードが設けられているから、被照面上の照度のむらを低減できるという利点がある。
【図面の簡単な説明】
【００１５】
【図１】本実施形態の一部破断した側面図であり、（ａ）、（ｂ）、（ｃ）はそれぞれ点灯する発光ダイオードが異なる状態を示す図である。
【図２】同上の他の形態の一部破断した側面図であり、（ａ）、（ｂ）、（ｃ）はそれぞれ点灯する発光ダイオードが異なる状態を示す図である。
【図３】同上のさらに他の形態の一部破断した側面図である。
【図４】従来例を示す一部破断した側面図であり、（ａ）、（ｂ）、（ｃ）はそれぞれ発光ダイオードとレンズとの相対位置が異なる状態を示す図である。
【図５】他の従来例を示す一部破断した側面図である。
【発明を実施するための形態】
【００１６】
本実施形態の照明器具は、図１に示すように、複数個の発光ダイオード１１と、発光ダイオード１１からの光を反射する反射面２１を備えた反射体２０とを具備する構成を有する。以下では、図１の上下方向を上下方向として説明する。
【００１７】
反射面２１は、放物面（放物線を対称軸の周りに回転させてできる曲面）で伏せた椀状に形成される。つまり、反射面２１は、中心軸Ａが上下方向に一致し、下側に開口を備える。
【００１８】
発光ダイオード１１は、取付部材３０を用いて反射面２１に囲まれる定位置に固定される。取付部材３０は、中心軸が反射面２１の中心軸に一致する中心軸方向（上下方向）に長い円柱状に形成され、上端部が反射面２１の焦点Ｂに重なる定位置に固定され、反射面２１に囲まれる。
【００１９】
発光ダイオード１１は、取付部材３０の周方向と上下方向とにそれぞれ並ぶように取付部材３０の周面上に配置され、取付部材３０に実装される。発光ダイオード１１は、取付部材３０の周面上の位置によって複数のグループに分けられ、グループごとに直列または並列に接続される。つまり、１つのグループで１つの直列回路（または、並列回路）がつくられる。
【００２０】
グループ分けは、発光ダイオード１１の上下方向の位置により行われる。図示例では、取付部材３０の周面の上部に取り付けられた発光ダイオード１１のグループを上部光源１１ａとし、取付部材３０の周面の中央部に取り付けられた発光ダイオード１１のグループを中央光源１１ｂとし、下部に取り付けられた発光ダイオード１１のグループを下部光源１１ｃとして、発光ダイオード１１を３つのグループに分けている。
【００２１】
各グループの発光ダイオード１１の直列回路は、切替装置（図示せず）により点灯装置（図示せず）との接続が切り替えられる。点灯装置には、例えば、定電圧を出力する定電圧源を用いる。
【００２２】
切替装置は、例えば、３個のスイッチング素子を備える。スイッチング素子は、発光ダイオード１１の各直列回路と点灯装置との間にそれぞれ接続され、制御装置によりオンオフが制御される。制御装置は、操作入力部を備え、操作入力部への入力に応じてスイッチング素子のオンオフを制御する制御信号を有線または無線により出力する。制御装置は、制御信号により、発光ダイオード１１の３つの直列回路のうちの１つの直列回路を点灯装置に接続する。つまり、制御装置により選択された一のグループの発光ダイオード１１のみが点灯装置に接続されて点灯する。
【００２３】
スイッチング素子の代わりに、リレーを発光ダイオード１１の直列回路（または、並列回路）と点灯装置との間に接続し、リレーにより点灯する発光ダイオード１１のグループを切り替える構成とすることもできる。
【００２４】
上述したように、取付部材３０の上端部は反射面２１の焦点Ｂに重なるから、上部光源１１ａの発光ダイオード１１（図１（ａ）のハッチングされた発光ダイオード）が点灯すると、発光位置が反射面２１の焦点Ｂにほぼ一致し、光線Ｌに示すように反射面２１の開口からビームの開きが小さい光が放射される。つまり、照明器具は狭角形になる。
【００２５】
下部光源１１ｃの発光ダイオード１１（図１（ｃ）のハッチングされた発光ダイオード）が点灯すると、発光位置が反射面２１の焦点Ｂよりも下方になり、光線Ｌに示すように、ビームの開きが大きい光が反射面２１の開口から放射される。つまり、照明器具は広角形になる。
【００２６】
中央光源１１ｂの発光ダイオード１１（図１（ｂ）のハッチングされた発光ダイオード）が点灯装置に接続されて点灯すると、ビームの開きは、上部光源１１ａの発光ダイオード１１が点灯する場合と下部光源１１ｃの発光ダイオード１１が点灯する場合との中間になる。つまり、照明器具は中角形になる。
【００２７】
上述のように、本実施形態では、上部光源１１ａと中央光源１１ｂと下部光源１１ｃとの間で点灯を切り替える変えることによりビームの開きを変え、照明器具を狭角形や中角形や広角形にすることができる。また、制御装置への入力操作だけでビームの開き（配光）を変えることができ、配光の切り替えが容易である。
【００２８】
上述した構成では、取付部材３０を上端部が反射面２１の焦点Ｂに重なるように配置した例を説明したが、図２に示すように取付部材３０を下端部が反射面２１の焦点Ｂに重なるように配置することもできる。
【００２９】
図２に示す構成では、照明器具は、下部光源１１ｃの発光ダイオード１１を点灯させたときに狭角形になり、中央光源１１ｂの発光ダイオード１１を点灯させたときに中角形になり、下部光源１１ｃの発光ダイオード１１を点灯させたときに広角形になる。
【００３０】
また、図３に示すように、グループ分けされない発光ダイオード１１を取付部材３０に下向きに取り付けてもよい。発光ダイオード１１は、光線Ｌに示すように下方に光を放射する。発光ダイオード１１により、照明器具からの光が照射される被照面上の照度のむらを低減することができる。
【００３１】
さらに、上述した構成では、反射面２１を放物面で椀状に形成した例を説明したが、反射面２１を球面や、楕円を短軸または長軸の周りに回転させてできる楕円面で椀状に形成することもできる。また、双曲線を対称軸の周りに回転させてできる曲面や、指数関数を回転させてできる曲面のように反射面２１をラッパ状に形成することもできる。
【符号の説明】
【００３２】
１１  発光ダイオード
２０  反射体
２１  反射面
３０  取付部材
【図１】
2011070959.tif 000003
【図２】
2011070959.tif 000004
【図３】
2011070959.tif 000005
【図４】
2011070959.tif 000006
【図５】
2011070959.tif 000007